(57)【要約】【課題】ブックマークにアクセスする方法、及び手持ち式電子装置を開示する。【解決手段】それぞれに少なくとも一つのタグに関連付ける複数のウェブページアドレスを、記憶することに用いられる記憶ユニットと、タッチ表示ユニットと、記憶ユニット及びタッチ表示ユニットに電気的に接続される処理ユニットと、を含む手持ち式電子装置に適用されるブックマークにアクセスする方法であって、（ａ）タッチ表示ユニットを通して、少なくとも一つのグループの検索文字を受信するステップと、（ｂ）処理ユニットを通して、前記検索文字及びタグに基づいて、記憶ユニットにおいて少なくとも一つの検索段階を行って、少なくとも一つの段階的な検索結果を作成するステップと、（ｃ）処理ユニットを通して、少なくとも一つの段階的な検索結果に基づいて、検索結果を作成するステップと、を備えるブックマークにアクセスする方法である。【選択図】図４
2013127770.tif 000002
【特許請求の範囲】
【請求項１】
それぞれに少なくとも一つのタグに関連付ける複数のウェブページアドレスを、記憶することに用いられる記憶ユニットと、タッチ表示ユニットと、前記記憶ユニット及び前記タッチ表示ユニットに電気的に接続される処理ユニットと、を含む手持ち式電子装置に適用されるブックマークにアクセスする方法であって、
（ａ）前記タッチ表示ユニットを通して、少なくとも一つのグループの検索文字を受信するステップと、
（ｂ）前記処理ユニットを通して、前記検索文字及び前記タグに基づいて、前記記憶ユニットにおいて少なくとも一つの検索段階を行って、少なくとも一つの段階的な検索結果を作成するステップと、
（ｃ）前記処理ユニットを通して、前記少なくとも一つの段階的な検索結果に基づいて、検索結果を作成するステップと、
を備えるブックマークにアクセスする方法。
【請求項２】
前記タッチ表示ユニットを通して、前記タグに関連する少なくとも一つのタグ群を表示するステップと、
前記タッチ表示ユニットを通して、確認指令を受信して、一つの前記タグ群を確認するステップと、
を更に備える請求項１に記載のブックマークにアクセスする方法。
【請求項３】
前記検索結果は、少なくとも一つのウェブページ群を含み、前記ブックマークにアクセスする方法は、前記タッチ表示ユニットを通して、第１の選択指令を受信して、一つの前記ウェブページ群をウェブページアドレスリストとして展開するステップを更に備える請求項１に記載のブックマークにアクセスする方法。
【請求項４】
前記タッチ表示ユニットを通して、第２の選択指令を受信して、前記ウェブページアドレスリストにおける一つのサイトを選択して、対応するウェブページに接続するステップを更に備える請求項３に記載のブックマークにアクセスする方法。
【請求項５】
それぞれに少なくとも一つのタグに関連付ける複数のウェブページアドレスを、記憶することに用いられる記憶ユニットと、
少なくとも一つのグループの検索文字を受信することに用いられるタッチ表示ユニットと、
前記少なくとも一つのグループの検索文字に基づいて、前記記憶ユニットにおいて少なくとも一つの検索段階を行って、検索結果を作成することに用いられ、前記記憶ユニット及び前記タッチ表示ユニットに電気的に接続される処理ユニットと、を含み、
前記処理ユニットは、各前記検索段階で前記検索文字及び前記タグに基づいて検索を行って、段階的な検索結果を作成し、各前記検索段階の段階的な検索結果に基づいて、前記検索結果を作成する手持ち式電子装置。
【請求項６】
前記処理ユニットは、前記各検索段階で、前記タッチ表示ユニットを通して、前記タグに関連する少なくとも一つのタグ群を表示し、前記タッチ表示ユニットは、更に、確認指令を受信して、一つの前記タグ群を確認する請求項５に記載の手持ち式電子装置。
【請求項７】
前記検索結果は、前記タッチ表示ユニットに表示されている少なくとも一つのウェブページ群を含み、前記入力モジュールは、更に、第１の選択指令を受信して、前記ウェブページ群をウェブページアドレスリストとして展開することに用いられる請求項５に記載の手持ち式電子装置。
【請求項８】
前記タッチ表示ユニットは、更に、第２の選択指令を受信して、前記ウェブページアドレスリストにおける一つのサイトを選択して、対応するウェブページに接続することに用いられる請求項７に記載の手持ち式電子装置。
【発明の詳細な説明】
【技術分野】
【０００１】
本開示内容は、データ処理の装置及び方法に関し、特に、手持ち式電子装置及びそのブックマークにアクセスする方法に関する。
【背景技術】
【０００２】
現代人の生活において、手持ち式電子装置は不可欠な通信ツールである。従来の電話通信を除き、ネットワーク通信も、次第に手持ち式電子装置の必須機能になっている。利用者がウェブページを閲覧する過程中、再び閲覧しようとするウェブページをブックマークに良く記憶して、後日閲覧しようとする場合、ブックマークを通してウェブページにすばやく接続できるようになる。しかしながら、次第に積み重ねることに伴い、ブックマークに記憶されているウェブページの数が多すぎになることがあり、利用者が所望のウェブページブックマークを快速に捜索できるように、管理の機構が必要となる。現在、一部の技術では、タグを利用してブックマークを分類することが可能であるが、このような方式によれば、検索上依然として効率不足、すばやく検索できない欠点がある。
【発明の概要】
【発明が解決しようとする課題】
【０００３】
そのため、新規の手持ち式電子装置及びそのブックマークにアクセスする方法を如何に設計するかは、この業界において、解決が望まれている問題となる。
【課題を解決するための手段】
【０００４】
そのため、本開示内容の一態様は、それぞれに少なくとも一つのタグに関連付ける複数のウェブページアドレスを、記憶することに用いられる記憶ユニットと、タッチ表示ユニットと、記憶ユニット及びタッチ表示ユニットに電気的に接続される処理ユニットと、を含む手持ち式電子装置に適用されるブックマークにアクセスする方法であって、（ａ）タッチ表示ユニットを通して、少なくとも一つのグループの検索文字を受信するステップと、（ｂ）処理ユニットを通して、前記検索文字及びタグに基づいて、記憶ユニットにおいて少なくとも一つの検索段階を行って、少なくとも一つの段階的な検索結果を作成するステップと、（ｃ）処理ユニットを通して、少なくとも一つの段階的な検索結果に基づいて、検索結果を作成するステップと、を備えるブックマークにアクセスする方法を提供する。
【０００５】
本開示内容の一実施例によると、検索段階には、タッチ表示ユニットを通して、タグに関連する少なくとも一つのタグ群を表示するステップと、タッチ表示ユニットを通して、確認指令を受信して、一つのタグ群を確認するステップと、を更に備える。
【０００６】
本開示内容の別の実施例によると、検索結果は、少なくとも一つのウェブページ群を含み、ブックマークにアクセスする方法は、タッチ表示ユニットを通して、第１の選択指令を受信して、一つのウェブページ群をウェブページアドレスリストとして展開するステップを更に備える。ブックマークにアクセスする方法は、タッチ表示ユニットを通して、第２の選択指令を受信して、ウェブページアドレスリストにおける一つのサイトを選択して、対応するウェブページに接続するステップを更に備える。
【０００７】
本開示内容の別の態様は、記憶ユニットと、タッチ表示ユニットと、処理ユニットと、を含む手持ち式電子装置を提供する。記憶ユニットは、それぞれに少なくとも一つのタグに関連付ける複数のウェブページアドレスを、記憶することに用いられる。タッチ表示ユニットは、少なくとも一つのグループの検索文字を受信することに用いられる。処理ユニットは、記憶ユニット及びタッチ表示ユニットに電気的に接続され、検索文字に基づいて、記憶ユニットにおいて少なくとも一つの検索段階を行って検索結果を作成することに用いられる。処理ユニットは、各検索段階で検索文字及びタグに基づいて検索を行って、段階的な検索結果を作成し、各検索段階の段階的な検索結果に基づいて、検索結果を作成する。
【０００８】
本開示内容の一実施例によると、処理ユニットは、各検索段階で、タッチ表示ユニットを通して、タグに関連する少なくとも一つのタグ群を表示し、タッチ表示ユニットは、更に、確認指令を受信して、一つのタグ群を確認する。
【０００９】
本開示内容の別の実施例によると、検索結果は、タッチ表示ユニットに表示されている少なくとも一つのウェブページ群を含み、タッチ表示ユニットは、更に、第１の選択指令を受信して、ウェブページ群をウェブページアドレスリストとして展開することに用いられる。
【００１０】
本開示内容のまた他の実施例によると、タッチ表示ユニットは、更に、第２の選択指令を受信して、ウェブページアドレスリストにおける一つのサイトを選択して、対応するウェブページに接続することに用いられる。
【発明の効果】
【００１１】
本開示内容を適用するメリットは、タグに関連付けるウェブページアドレスを記憶する記憶ユニットによって、検索文字によってタグを検索することで段階的な検索を行い、段階検索の結果に対して積集合を作成させ、アクセスしようとするウェブページを迅速に捜し出す目的を容易に達成する。
【図面の簡単な説明】
【００１２】
下記図面の簡単な説明は、本開示内容の前記又は他の目的、特徴、メリット、実施例をより分かりやすくするためのものである。
【００１３】
【図１】本開示内容の一実施例における、手持ち式電子装置のブロック図である。
【図２Ａ】本開示内容の一実施例における、図１に示した手持ち式電子装置の平面図である。
【図２Ｂ】本開示内容の一実施例における、図１に示した手持ち式電子装置の平面図である。
【図３Ａ】本開示内容の一実施例における、図２Ａに示した手持ち式電子装置が次のグループの検索文字を受信する概略図である。
【図３Ｂ】本開示内容の一実施例における、手持ち式電子装置の平面図である。
【図４】本開示内容の一実施例における、ブックマークにアクセスする方法の流れ図である。
【発明を実施するための形態】
【００１４】
図１及び図２Ａを参照する。図１は、本開示内容の一実施例における、手持ち式電子装置１のブロック図である。図２Ａは、本開示内容の一実施例における、図１に示した手持ち式電子装置１の平面図である。
【００１５】
手持ち式電子装置１は、タッチ表示ユニット１０と、記憶ユニット１２と、処理ユニット１４と、を備える。記憶ユニット１２は、それぞれに少なくとも一つのタグに関連付ける複数のウェブページアドレスを、記憶することに用いられることが可能である。利用者は、ウェブページにアクセスするとき、ウェブページのタイプに基づいて、ウェブページを１以上のタグに関連付けて、ブックマークとして記憶させることができる。例えば、利用者は、ｅＢａｙウェブページのスポーツ用品の分類サブページに接続するとき、このサブページをショッピング（ｓｈｏｐｐｉｎｇ）及びスポーツ（ｓｐｏｒｔｓ）のタグに関連付けて、記憶ユニット１２に記憶させることができる。
【００１６】
タッチ表示ユニット１０は、少なくとも一つのグループの検索文字１１を受信することに用いられる。一実施例において、タッチ表示ユニット１０は、図２Ａに示すソフトウェアキーボードを表示して、利用者がそれでタッチ入力する。他の実施例において、実体のキーボードを採用して、入力してもよい。一実施例において、タッチ表示ユニット１０は、更に、検索バー２０を表示して、利用者がその検索バー２０で検索文字１１を入力してもよい。
【００１７】
処理ユニット１４は、更に、検索文字に基づいて、記憶ユニット１２において、各検索段階で少なくとも一つの検索段階を行って段階的な検索結果を作成して、段階的な検索結果からの積集合に基づいて検索結果１３を作成してもよい。例えば、タッチ表示ユニット１０に受信した検索文字の一番目はｓの場合、処理ユニット１４は、検索文字ｓに基づいて、記憶ユニット１２において、ｓｈｏｐｐｉｎｇ及び／又はｓｐｏｒｔｓの二つのタグを持つウェブページを検索し、第１の段階の検索結果を作成する。本実施例において、図２Ａに示すように、処理ユニット１４は、ｓｈｏｐｐｉｎｇ及びｓｐｏｒｔｓの２つのタグ群をタッチ表示ユニット１０に表示する。図２Ｂを参照する。図２Ｂは、本開示内容の別の実施例における、手持ち式電子装置１の平面図である。他の実施例において、図２Ｂに示すように、処理ユニット１４は、ｓｈｏｐｐｉｎｇ及びｓｐｏｒｔｓの２つのタグ群、及びそれらに含まれるウェブページアドレスの一部を、タッチ表示ユニット１０に表示してもよい。
【００１８】
そして、タッチ表示ユニット１０は、確認指令（図示せず）を受信して、処理ユニット１４をタグ群の中の一つを確認させることに用いられることができる。例えば、利用者は、タッチ入力することで、タッチ表示ユニット１０に確認指令を受信させて、タグ群ｓｈｏｐｐｉｎｇを確認することができる。
【００１９】
確認を行った後、タッチ表示ユニット１０は、更に次の組の検索文字１１を受信して、次の検索段階を行ってもよい。図３Ａを参照する。図３Ａは、本開示内容の一実施例における、図２Ａに示した手持ち式電子装置１が、更に次の組の検索文字を受信することの概略図である。本実施例において、タグ群ｓｈｏｐｐｉｎｇに対して確認した後、タッチ表示ユニット１０は、検索文字ｓｐｏｒｔを更に受信できる。処理ユニット１４は、記憶ユニット１２において検索を行い、ｓｐｏｒｔｓタグを持つウェブページを表示し、第２の段階の検索結果を作成し、群ｓｐｏｒｔｓをタッチ表示ユニット１０に表示する。この場合、処理ユニット１４の作成した検索結果１３は、即ち、第１の段階と第２の段階の検索結果の積集合である。即ち、この場合、処理ユニット１４が２つの段階で検索した後、タッチ表示ユニット１０に表示される群ｓｐｏｒｔｓは、本質上、ｓｈｏｐｐｉｎｇ及びｓｐｏｒｔｓタグを同時に有するウェブページ群である。
【００２０】
図３Ｂを参照する。図３Ｂは、本開示内容の一実施例における、手持ち式電子装置１の平面図である。一実施例において、タッチ表示ユニット１０は、第１の選択指令（図示せず）を受信して、ウェブページ群をウェブページアドレスリスト３０として展開し、即ち、ウェブページ群に含まれるウェブページアドレスを、タッチ表示ユニット１０にリストする。そして、タッチ表示ユニット１０は、第２の選択指令（図示せず）に基づいて、ウェブページアドレスリストの一つのサイトを選択して、処理ユニット１４をウェブページアドレスリストの一つを選択させて、対応するウェブページに接続する。別の実施例において、前記第２の段階で検索した後、処理ユニット１４は、直接にｓｐｏｒｔｓ群でそれに含まれるウェブページアドレスの一部を表示してもよい。この場合、利用者は、選択指令を１回のみ入力することで、処理ユニット１４を対応するウェブページに接続させることができる。もう一つの実施例において、各段階の検索では、タッチ表示ユニット１０は、キャンセル指令（図示せず）を受信して、この段階の検索結果をキャンセルし、前の段階の検索結果に回復してもよい。
【００２１】
そのため、本開示内容の手持ち式電子装置は、タグに関連付けるウェブページアドレスを記憶する記憶ユニットによって、検索文字に基づいてタグを検索することで段階的な検索を行い、段階検索の結果に対して積集合を作成させ、アクセスしようとするウェブページを迅速に捜し出すことができる。
【００２２】
図４を参照する。図４は、本開示内容の一実施例における、ブックマークにアクセスする方法４００の流れ図である。ブックマークにアクセスする方法４００を、図１に示すような手持ち式電子装置１に適用することができる。ブックマークにアクセスする方法は、下記ステップを含む（本実施形態で言及されたステップは、明確にその順序を述べた場合を除き、何れも実際の要求に応じてその前後順序を調整でき、延いては同時に実行したり、その一部を同時に実行可能であることは理解すべきである）。
【００２３】
ステップ４０１において、タッチ表示ユニット１０を通して、一つのグループの検索文字を受信する。
【００２４】
ステップ４０２において、処理ユニット１４を通して、前記検索文字及びタグに基づいて、記憶ユニット１２において検索段階を行って、段階的な検索結果を作成する。ステップ４０３において、処理ユニット１４は、タッチ表示ユニット１０が確認指令を受信するかを判断する。確認指令を受信した場合、ブックマークにアクセスする方法４００の流れは、次の組の検索文字を受信して検索を行うように、ステップ４０２に回復する。確認指令を受信しない場合、ステップ４０４において、処理ユニット１４は、タッチ表示ユニット１０が選択指令を受信するかを判断する。一実施例において、選択指令は、ウェブページ群をウェブページアドレスリストとして展開するための第１の選択指令と、ウェブページアドレスリストの一つを選択するための第２の選択指令と、を含んでよい。タッチ表示ユニット１０が選択指令を受信すると、処理ユニット１４は、ステップ４０５において、対応するウェブページに接続する。
【００２５】
そのため、本開示内容のブックマークにアクセスする方法は、ウェブページブックマークデータベースによって、ウェブページアドレスをタグに関連付けて、検索文字に基づいてタグを検索することで段階的な検索を行い、積集合を作成させ、アクセスしようとするウェブページを迅速に捜し出すことができる。
【００２６】
本開示内容では好適な実施形態を前述の通り開示したが、これは本発明を限定するものではなく、当業者であれば、本発明の精神と領域から逸脱しない限り、多様の変動や修正を加えることができる。従って、本発明の保護範囲は、特許請求の範囲で指定した内容を基準とする。
【符号の説明】
【００２７】
１  手持ち式電子装置、１０  タッチ表示ユニット、１１  検索文字、１２  記憶ユニット、１３  検索結果、１４  処理ユニット、２０  検索バー、３０  ウェブページアドレスリスト、４００  ブックマークにアクセスする方法、４０１〜４０５  ステップ
【図１】
2013127770.tif 000003
【図２Ａ】
2013127770.tif 000004
【図２Ｂ】
2013127770.tif 000005
【図３Ａ】
2013127770.tif 000006
【図３Ｂ】
2013127770.tif 000007
【図４】
2013127770.tif 000008